(57)【要約】【課題】ボルトの脱落を防止することができるのは勿論のこと、ボルトの頭部を保護することができるボルトの脱落防止構造を提供する。【解決手段】回転物ガード７をステー１３に締結するボルト１６の脱落防止構造であって、ボルト頭部１６ａを収容可能な空間１７を回転物ガード７との間に形成するカバー部材２０を備え、カバー部材２０にボルト頭部１６ａが挿通可能な開口２１を設けるとともに、この開口２１の縁部に接当可能な抜け止めリング３０をボルト軸部１６ｂに装着し、ボルト１６の非締結時に抜け止めリング３０を開口２１の縁部に接当させることにより、ボルト１６が回転物ガード７から脱落するのを防止する。【選択図】図３
2011012733.tif 000002
【特許請求の範囲】
【請求項１】
被取付部材を取付相手部材に締結するボルトの脱落防止構造であって、
前記ボルトの頭部を収容可能な空間を被取付部材との間に形成するカバー部材を備え、
前記カバー部材に前記ボルトの頭部が挿通可能な開口を設けるとともに、この開口の縁部に接当可能な抜け止めリングを前記ボルトの軸部に装着し、
前記ボルトの非締結時に前記抜け止めリングを前記開口の縁部に接当させることにより、前記ボルトが被取付部材から脱落するのを防止することを特徴とするボルトの脱落防止構造。
【請求項２】
前記抜け止めリングにおける前記開口の縁部との接当部が弾性変形可能とされる請求項１に記載のボルトの脱落防止構造。
【請求項３】
前記開口の縁部が弾性変形可能とされる請求項１に記載のボルトの脱落防止構造。
【請求項４】
前記カバー部材は、被取付部材に着脱可能に取り付けられる請求項１に記載のボルトの脱落防止構造。
【請求項５】
前記ボルトは、六角穴付きボルトである請求項１〜４のいずれかに記載のボルトの脱落防止構造。
【発明の詳細な説明】
【技術分野】
【０００１】
本発明は、被取付部材を取付相手部材に締結するボルトの脱落防止構造に関するものである。
【背景技術】
【０００２】
一般に、エンジンの周りには、エンジンの回転動力を利用して回転駆動されるエアコンコンプレッサやオルタネータなどが配設されている。例えばエアコンコンプレッサにおいて、その回転部に不意に接触するのを防止するため、この回転部を覆うように回転物ガードが装着されている。この回転物ガードは、整備・点検等の都合で取り外すことがあるので、着脱を容易に行うことができるボルト締結によって固定されている。
【０００３】
整備・点検等の都合により回転物ガードを取り外すにあたっては、回転物ガードを固定しているボルトを緩める作業が行われる。この際、緩めたボルトを落として紛失してしまうことがある。このボルトの紛失が原因で回転物ガードを未装着のまま放置するといった事態を招く恐れがある。このような事態を招かないようにするためには、回転物ガード（被取付部材）からボルトが脱落するのを防止する必要がある。
【０００４】
従来、被取付部材からボルトが脱落するのを防止する技術として、例えば特許文献１〜３にて開示されているものがある。
特許文献１に係る技術では、ボルトの軸部に抜け止めリングを装着し、ボルトの非締結時にその抜け止めリングを被取付部材に掛け止めることにより、ボルトの被取付部材からの脱落を防止するようにしている。
特許文献２に係る技術では、被取付部材に固着された筒状の金属製ブッシュの内部にＣ字状のリング部材を組み込み、このリング部材でボルトの軸部を弾性的に保持することにより、ボルトの被取付部材からの脱落を防止するようにしている。
特許文献３に係る技術では、被取付部材に固着されたキャップの内部にゴムやシリコーン等からなる弾性部材を組み込み、この弾性部材でボルトの軸部を弾性的に保持することにより、ボルトの被取付部材からの脱落を防止するようにしている。
【先行技術文献】
【特許文献】
【０００５】
【特許文献１】特開平１１−３０２２１号公報
【特許文献２】特開２００８−１３３９００号公報
【特許文献３】特開平７−３１０７２５号公報
【０００６】
しかしながら、特許文献１〜３のいずれの技術でも、ボルトの頭部が外部に露出されているため、落下物等が衝突したり、被取付部材を落としたりしたときに、ボルトの頭部に衝撃力が作用して、ボルトの頭部が変形したり、ボルトの首部が曲がったりしてしまうという問題点がある。
【発明の概要】
【発明が解決しようとする課題】
【０００７】
本発明は、前述のような問題点に鑑みてなされたもので、ボルトの脱落を防止することができるのは勿論のこと、ボルトの頭部を保護することができるボルトの脱落防止構造を提供することを目的とするものである。
【課題を解決するための手段】
【０００８】
前記目的を達成するために、本発明によるボルトの脱落防止構造は、
被取付部材を取付相手部材に締結するボルトの脱落防止構造であって、
前記ボルトの頭部を収容可能な空間を被取付部材との間に形成するカバー部材を備え、
前記カバー部材に前記ボルトの頭部が挿通可能な開口を設けるとともに、この開口の縁部に接当可能な抜け止めリングを前記ボルトの軸部に装着し、
前記ボルトの非締結時に前記抜け止めリングを前記開口の縁部に接当させることにより、前記ボルトが被取付部材から脱落するのを防止することを特徴とするものである（第１発明）。
【０００９】
本発明において、前記抜け止めリングにおける前記開口の縁部との接当部が弾性変形可能とされる態様を採用することができる（第２発明）。
【００１０】
本発明において、前記開口の縁部が弾性変形可能とされる態様を採用することができる（第３発明）。
【００１１】
本発明において、前記カバー部材は、被取付部材に着脱可能に取り付けられるのが好ましい（第４発明）。
【００１２】
本発明において、前記ボルトは、六角穴付きボルトであるのが好ましい（第５発明）。
【発明の効果】
【００１３】
本発明においては、被取付部材からボルトが抜け出ようとしたとき、ボルトの軸部に装着されている抜け止めリングがカバー部材の開口の縁部に接当される。これにより、ボルトが被取付部材から脱落するのを防止することができる。また、カバー部材と被取付部材との間の空間にボルトの頭部が収容される。これにより、ボルトの頭部をカバー部材で保護することができる。
本発明によれば、ボルトの脱落を防止することができるのは勿論のこと、ボルトの頭部を保護することができる。
【図面の簡単な説明】
【００１４】
【図１】本発明の第１の実施形態に係るボルトの脱落防止構造が適用された回転物ガードを装備するエアコンコンプレッサの周辺の概略構造を説明する斜視図
【図２】回転物ガードをボルト締結部側から見た拡大斜視図（ａ）および（ａ）のＡ矢視図（ｂ）
【図３】図２（ｂ）のＢ−Ｂ線断面図で、ボルト締結時の状態図（ａ）およびボルト非締結時の状態図（ｂ）
【図４】本発明の第２の実施形態に係るボルトの脱落防止構造の説明図で、ボルト締結時の状態図（ａ）およびボルト非締結時の状態図（ｂ）
【図５】ボルトアッセンブリの組込動作説明図
【図６】本発明の第３の実施形態に係るボルトの脱落防止構造の説明図で、ボルト締結時の状態図（ａ）およびボルト非締結時の状態図（ｂ）
【図７】ボルトアッセンブリの組込動作説明図
【図８】本発明の第４の実施形態に係るボルトの脱落防止構造の説明図で、カバー部材の掛け止め状態図（ａ）および掛け止め状態が解除された状態図（ｂ）
【発明を実施するための形態】
【００１５】
次に、本発明によるボルトの脱落防止構造の具体的な実施の形態について、図面を参照しつつ説明する。なお、以下においては、エアコンコンプレッサに付設の回転物ガードの締結用ボルトに本発明が適用された例を説明するが、勿論これに限定されるものではなく、例えばオルタネータや冷却用ファン、パワートレインなどに付設の回転物ガードの締結用ボルトにも本発明を適用することができる。
【００１６】
〔第１の実施形態〕
（エアコンコンプレッサの説明）
図１に示されるように、エアコンコンプレッサ１は、ブラケット２を介してエンジン３に取り付けられている。エアコンコンプレッサ１の回転軸には、従動プーリ４が固定されている。エンジン３には、駆動プーリ５が支承されている。従動プーリ４と駆動プーリ５との間には、伝動ベルト６が巻き掛け装着されている。エンジン３の回転動力の一部は、駆動プーリ５から伝動ベルト６および従動プーリ４を介してエアコンコンプレッサ１に伝達される。これにより、エアコンコンプレッサ１が回転駆動され、冷媒を圧縮することができる。
【００１７】
（回転物ガードの説明）
エアコンコンプレッサ１には、従動プーリ４の上部を覆う回転物ガード７（本発明の「被取付部材」に相当する。）が付設されている。こうして、整備・点検等の際に、回転部である従動プーリ４に不意に接触するのを確実に防止することができる。
なお、図１中符号「８」にて示されるものは、オルタネータであり、同図中符号「９」にて示されるものは、そのオルタネータ８の回転部である従動プーリ１０を覆う回転物ガードである。
【００１８】
図２（ａ）に示されるように、エアコンコンプレッサ１に付設の回転物ガード７は、主として上板金１１と側板金１２とを組み合わせて形成される板金構造物である。回転物ガード７は、ブラケット２から従動プーリ４の近傍に延設されるステー１３（本発明の「取付相手部材」に相当する。）に支持されている。回転物ガード７の上板金１１は、従動プーリ４の外周形状に合わせて円弧状に折り曲げ形成された湾曲部１１ａと、ステー１３の上面に重ね合わされる平坦部１１ｂとを有している。
【００１９】
図２（ｂ）に示されるように、上板金１１の平坦部１１ｂには、ボルト挿通孔１４が形成されている。ボルト挿通孔１４は、後述するボルト軸部１６ｂの直径よりも一回り大きな直径の２つの半円を直線で繋いで切り抜いたような長円形状の長孔である。ボルト挿通孔１４の長手方向は、回転物ガード７の長手方向と一致されており、後述するボルト１６が緩められた状態にあるとき、回転物ガード７をその長手方向に移動させて取付位置の調整をすることができるようになっている。
【００２０】
図３（ａ）に示されるように、ボルト挿通孔１４に対応する螺子孔１５がステー１３に形成されている。回転物ガード７は、ボルト挿通孔１４を通って螺子孔１５に螺合するボルト１６の締め付けによってステー１３に固定される。
【００２１】
（ボルトの説明）
ボルト１６は、六角穴付きボルトであり、六角穴が形成された円柱状のボルト頭部１６ａを有している。ボルト頭部１６ａには、同軸を成してボルト軸部１６ｂが一体的に連設されている。ボルト軸部１６ｂには、先端部からボルト頭部１６ａとの境界部（基端部）の近傍に亘って螺子が刻まれている。
【００２２】
（カバー部材の説明）
平坦部１１ｂには、ボルト頭部１６ａを収容可能な空間１７を平坦部１１ｂとの間に形成するカバー部材２０が固着されている。カバー部材２０は、帯状板材に所要の曲げ加工を施して逆Ｕの字形状に形成されたものである。カバー部材２０は、所定高さ位置で平坦部１１ｂと平行を成す天井板部２０ａと、天井板部２０ａの両側に直角を成して連設される側板部２０ｂとを有している。
【００２３】
（カバー部材の開口の説明）
天井板部２０ａには、ボルト頭部１６ａが挿通可能な開口２１が形成されている。開口２１は、図２（ｂ）に示されるように、ボルト頭部１６ａの直径よりも一回り大きな直径の２つの半円を直線で繋いで切り抜いたような長円形状の長孔である。なお、開口２１の長手方向は、回転物ガード７の長手方向と一致されている。
【００２４】
（抜け止めリングの説明）
図３（ａ）に示されるように、ボルト軸部１６ｂの基端部には、抜け止めリング３０が分離不能に装着されている。図３（ｂ）に示されるように、ボルト１６の締め付けが解除されて非締結状態にあるとき、ボルト軸部１６ｂの先端がボルト挿通孔１４を抜け出る前に抜け止めリング３０がカバー部材２０の開口２１の縁部に接当して、ボルト１６の抜き方向の動きが止められるようになっている。
【００２５】
抜け止めリング３０は、ボルト頭部１６ａを平坦部１１ｂに安定的に着座させる環状の座金としての役目と、ボルト１６の抜け落ちを防ぐ抜け止め部材としての役目とを兼ねるものである。なお、ボルト１６に抜け止めリング３０が分離不能に装着されてなるボルトアッセンブリ３１は、所謂「座金組込ボルト」と称されるものと同様のものである。
【００２６】
（抜け止めリングの装着手法）
ここで、ボルト１６に抜け止めリング３０を分離不能に装着する手法としては、例えば螺子を形成する前のボルト軸部１６ｂにボルト軸径よりわずかに大きい孔をあけた抜け止めリング３０を嵌挿し、その後に螺子を形成して抜け止めリング３０が抜けない状態で組み込むというものである。「座金組込ボルト」と同様の組み込み方法である。
【００２７】
（ボルトアッセンブリとカバー部材の組付手順）
回転物ガード７に対するボルトアッセンブリ３１とカバー部材２０の組み付けの手順は以下の通りである。まず、ボルト挿通孔１４にボルト軸部１６ｂを通して回転物ガード７にボルトアッセンブリ３１を組み込む。次いで、図２（ｂ）に示されるように、平面視で開口２１の内部にボルト頭部１６ａが包含される所定位置においてカバー部材２０を位置決めし、カバー部材２０と回転物ガード７とを溶接により接合する。
【００２８】
（第１の実施形態の作用効果）
以上に述べたように構成される第１の実施形態のボルトの脱落防止構造においては、図３（ｂ）に示されるように、回転物ガード７からボルト１６が抜け出ようとしたとき、ボルト軸部１６ｂに装着されている抜け止めリング３０がカバー部材２０の開口２１の縁部に接当される。これにより、ボルト１６が回転物ガード７から脱落するのを防止することができる。また、図３（ａ）に示されるように、カバー部材２０と回転物ガード７との間の空間１７にボルト頭部１６ａが収容される。これにより、ボルト頭部１６ａをカバー部材２０で保護することができる。
【００２９】
〔第２の実施形態〕
次に、本発明の第２の実施形態のボルトの脱落防止構造について、図４を用いて説明する。なお、本実施形態において、先の実施形態と同一または同様のものについては図に同一符号を付すに留めてその詳細な説明を省略することとし、以下においては、先の実施形態と異なる点を中心に説明することとする（後述の各実施形態についても同様）。
【００３０】
（ボルトアッセンブリの説明）
本実施形態において、回転物ガード７に組み込まれるボルトアッセンブリ３１Ａは、図４（ａ）に示されるように、第１の実施形態と同様のボルト１６に、外周部をボルト頭部１６ａ側に撓ませることが可能な抜け止めリング３２が分離不能に装着されて構成されている。
【００３１】
（抜け止めリングの説明）
抜け止めリング３２は、段付きワッシャ３３と、可撓性リング部材３４とより構成されている。
段付きワッシャ３３は、その下部の周面が径方向外側に張り出されて形成される外向きフランジ部３３ａを有している。この外向きフランジ部３３ａと段付きワッシャ３３の上部の周面との間には、段差部３３ｂが形成される。
可撓性リング部材３４は、ゴムや樹脂等の弾力性を有する材料よりなり、カバー部材２０の開口２１の縁部と接当可能なリング形状で、段付きワッシャ３３の段差部３３ｂに接着剤等を介して固着されている。
【００３２】
（ボルトアッセンブリの組み込みの説明）
本実施形態では、回転物ガード７に予め固着されているカバー部材２０の内部に、ボルトアッセンブリ３１Ａを組み込むことができる。すなわち、カバー部材２０の外側から開口２１を通してボルトアッセンブリ３１Ａを押し込もうとすると、図５（ａ）に示されるように、可撓性リング部材３４の外周縁（接当部）の下面が開口２１の縁部の上面に押し付けられる。このとき、可撓性リング部材３４は、その外周縁が、ボルトアッセンブリ３１Ａの押込み力に対する反作用力を開口２１の縁部から受けて、図５（ｂ）に示されるように、ボルト頭部１６ａに近づくように撓められてその外径が縮められる。そして、更に可撓性リング部材３４の弾性変形が進むと、ボルトアッセンブリ３１Ａは、カバー部材２０の開口２１を通過し、回転物ガード７に組み込まれる。
【００３３】
（抜け止め作用説明）
一旦、ボルトアッセンブリ３１Ａが回転物ガード７に組み込まれた後、回転物ガード７からボルト１６が抜け出ようとしたときには、図４（ｂ）に示されるように、可撓性リング部材３４の外周縁の上面が開口２１の縁部の下面に接当される。このとき、可撓性リング部材３４は、ボルト軸部１６ｂに近づくように撓もうとするが、その動きを段付きワッシャ３３の外向きフランジ部３３ａによって止められて撓むことができない。このため、ボルト１６の抜き方向の動きが抜け止めリング３２で止められることになる。
【００３４】
（第２の実施形態の作用効果）
本実施形態によれば、第１の実施形態と同様の作用効果を得ることができる。加えて、予めカバー部材２０を固着した回転物ガード７に対して後付けでボルトアッセンブリ３１Ａを組み込むことができるという利点がある。
【００３５】
〔第３の実施形態〕
次に、本発明の第３の実施形態のボルトの脱落防止構造について、図６を用いて説明する。
【００３６】
（開口の縁部が弾性変形可能なカバー部材の説明）
本実施形態においては、第１の実施形態におけるカバー部材２０に代えて、ボルト頭部１６ａが挿通可能な開口の縁部が弾性変形可能とされたカバー部材４０が採用されている。カバー部材４０は、カバー部材本体４１と、可撓性リップ部材４２とにより構成されている。カバー部材本体４１は、所定高さ位置で平坦部１１ｂと平行を成す天井板部４１ａと、天井板部４１ａの両側に直角を成して連設される側板部４１ｂとを有している。
【００３７】
天井板部４１ａには、第１の実施形態における開口２１よりも一回り大きな開口のリップ装着口４３が形成されている。このリップ装着口４３の縁部には、可撓性リップ部材４２が装着されている。可撓性リップ部材４２は、ゴムや樹脂等の弾力性を有する材料よりなり、第１の実施形態における開口２１に相当する開口４４を有し、抜け止めリング３０と接当可能な形状寸法に設定されている。
【００３８】
（ボルトアッセンブリの組み込みの説明）
本実施形態では、回転物ガード７に予め固着されているカバー部材４０の内部に、ボルトアッセンブリ３１を組み込むことができる。すなわち、カバー部材４０の外側から開口４４を通してボルトアッセンブリ３１を押し込もうとすると、図７（ａ）に示されるように、抜け止めリング３０の下面がその開口４４の縁部の上面に押し付けられる。このとき、開口４４の縁部は、ボルトアッセンブリ３１からの押込み力を受けて、図７（ｂ）に示されるように、カバー部材４０の内部側に撓められる。そして、更に開口４４の縁部の弾性変形が進むと、ボルトアッセンブリ３１は、その開口４４を通過し、回転物ガード７に組み込まれる。
【００３９】
（可撓性リップ部材の弾性強度の説明）
なお、可撓性リップ部材４２においては、開口４４の縁部に作用する外力がボルトアッセンブリ３１の自重相当程度の力であるときに、その開口４４の縁部が撓んでボルトアッセンブリ３１が通過可能となるような弾性変形が生じないように、その材料の選定や形状寸法の設定により弾性強度が定められている。
【００４０】
（抜け止め作用説明）
一旦、ボルトアッセンブリ３１が回転物ガード７に組み込まれた後、回転物ガード７からボルト１６が抜け出ようとしたときには、図６（ｂ）に示されるように、抜け止めリング３０の上面が開口４４の縁部の下面に接当される。この際、ボルト１６の抜け力がボルトアッセンブリ３１の自重相当程度の力であるとき、可撓性リップ部材４２にはボルトアッセンブリ３１が通過可能となるような弾性変形が生じないから、ボルト１６の抜き方向の動きが抜け止めリング３０で止められることになる。
【００４１】
（第３の実施形態の作用効果）
本実施形態によっても、第１の実施形態と同様の作用効果を得ることができる。加えて、ボルトアッセンブリ３１の自重相当程度の力よりも大きな操作力を作用させて開口４４に対しボルトアッセンブリ３１を抜き差し操作することにより、回転物ガード７からボルトアッセンブリ３１を取り外すことや、回転物ガード７にボルトアッセンブリ３１を組み込むことができる。このため、ボルトアッセンブリ３１を容易に交換することができる。
【００４２】
〔第４の実施形態〕
次に、本発明の第４の実施形態のボルトの脱落防止構造について、図８を用いて説明する。
【００４３】
（カバー部材の取付構造説明）
本実施形態においては、第１の実施形態におけるカバー部材２０に代えて、回転物ガード７に対して着脱可能なカバー部材５０が採用されている。
すなわち、図８（ａ）に示されるように、回転物ガード７における上板金１１の平坦部１１ｂの両側部には、段付部５１を有する切欠き（スリットでも可）５２が形成されている。
カバー部材５０は、所定高さ位置で平坦部１１ｂと平行を成す天井板部５０ａと、天井板部５０ａの両側に直角を成して連設される側板部５０ｂとを有している。
天井板部５０ａには、第１の実施形態における開口２１に相当する開口５３が形成されている。各側板部５０ｂの先端部には、切欠き５２の段付部５１に掛け止め可能な掛止折曲部５４が形成されている。
【００４４】
図８（ａ）に示されるように、掛止折曲部５４を段付部５１に掛け止めることにより、カバー部材５０を回転物ガード７に装着することができる。
図８（ｂ）に示されるように、両方の側板部５０ｂを外側に広げて、掛止折曲部５４の段付部５１への掛け止めを解除すると、カバー部材５０を回転物ガード７から取り外すことができる。
【００４５】
（第４の実施形態の作用効果）
本実施形態によっても、第１の実施形態と同様の作用効果を得ることができる。加えて、以下の（１）（２）のような利点がある。
（１）掛止折曲部５４の掛け止め・掛け止め解除の操作により、回転物ガード７に対しカバー部材５０を容易に着脱することができるので、万一、カバー部材５０が破損した場合でも、カバー部材５０を容易に交換することができる。
（２）カバー部材５０を容易に着脱することができるので、ボルトアッセンブリ３１の交換も容易に行うことができる。
【００４６】
以上、本発明のボルトの脱落防止構造について、複数の実施形態に基づいて説明したが、本発明は上記実施形態に記載した構成に限定されるものではなく、各実施形態に記載した構成を適宜組み合わせる等、その趣旨を逸脱しない範囲において適宜その構成を変更することができるものである。
【００４７】
例えば、上記各実施形態においては、ボルトとして、六角穴が形成された円柱状のボルト頭部を有する六角穴付きボルトを例に説明したが、これに限定されるものではなく、六角柱状のボルト頭部を有する通常の六角ボルトであってもよい。この六角ボルトを適用し、締付工具としてソケットレンチ使用する場合、カバー部材２０の開口２１の大きさは、ボルト頭部に対応するソケットが挿通可能な大きさに変更され、この変更に合わせて、カバー部材２０の全体の大きさや、抜け止めリング３０の大きさが変更される。六角穴付きボルトを適用した場合には、ボルト頭部が挿通可能であるという条件をクリアする開口の大きさであれば、六角穴に嵌め合わされる六角レンチは使用可能であるので、通常の六角ボルトを適用する場合と比べて脱落防止構造をコンパクトにすることができる。したがって、六角穴付きボルトを採用するのが好ましいといえる。
【産業上の利用可能性】
【００４８】
本発明のボルトの脱落防止構造は、ボルトの脱落を防止することができるのは勿論のこと、ボルトの頭部を保護することができるという特性を有していることから、回転物ガードのボルト締結の用途に好適に用いることができるほか、例えば、岩石等から機器を保護する各種のガードのボルト締結の用途にも用いることができる。
【符号の説明】
【００４９】
７        回転物ガード（被取付部材）
１３      ステー（取付相手部材）
１６      ボルト
１６ａ    ボルト頭部
１６ｂ    ボルト軸部
１７      空間
２０，４０，５０      カバー部材
２１，４４，５３      開口
３１，３１Ａ          ボルトアッセンブリ
３０，３２            抜け止めリング
３３      段付きワッシャ
３４      可撓性リング部材
４２      可撓性リップ部材
【図１】
2011012733.tif 000003
【図２】
2011012733.tif 000004
【図３】
2011012733.tif 000005
【図４】
2011012733.tif 000006
【図５】
2011012733.tif 000007
【図６】
2011012733.tif 000008
【図７】
2011012733.tif 000009
【図８】
2011012733.tif 000010